(57)【要約】【課題】  同軸ケーブルの編組に対して安定した電気的接続を果たすことができると共に、同軸ケーブルの高周波特性を良好に保つ同軸ケーブル用シールド端子を提供する。【解決手段】同軸ケーブルＷの端末部に露出された編組Ｗｃと電気的に接続される同軸ケーブル用シールド端子１０は、同軸ケーブルＷの端末部に露出された芯線Ｗａの外側を取り囲むシールド部１１と、中空筒状に形成され、その内部に同軸ケーブルＷの絶縁体Ｗｂを挿嵌されて該絶縁体Ｗｂと露出された編組Ｗｃとの間に挿入されるスリーブ１３と、加締めによりスリーブ１３との間で露出された編組Ｗｃを狭持する編組加締め部１４と、加締めにより同軸ケーブルＷのシースＷｄを把持するシース加締め部１５と、を備え、スリーブ１３に、該スリーブ１３の周壁を周方向に分断するスリット１６が形成されている。【選択図】  図１
2006004820.tif 000002
【特許請求の範囲】
【請求項１】
芯線と、絶縁体を介して該芯線の外周を被覆する編組とを有し最外周を絶縁シースによって被覆された同軸ケーブルの端末部に固定され、該同軸ケーブルの端末部に露出された編組と電気的に接続される同軸ケーブル用シールド端子であって、
前記同軸ケーブルの端末部に露出された芯線の外側を取り囲むシールド部と、
中空筒状に形成され、その内部に前記同軸ケーブルの絶縁体を挿嵌されて該絶縁体と前記露出された編組との間に挿入されるスリーブと、
加締めにより前記スリーブとの間で前記露出された編組を狭持する編組加締め部と、
加締めにより前記同軸ケーブルの前記絶縁シースを把持するシース加締め部と、
を備え、
前記スリーブに、該スリーブの周壁を周方向に分断するスリットが形成されていることを特徴とする同軸ケーブル用シールド端子。
【請求項２】
前記シールド部と、前記スリーブと、前記編組加締め部と、が一体に形成されていることを特徴とする請求項１に記載の同軸ケーブル用シールド端子。
【発明の詳細な説明】
【技術分野】
【０００１】
本発明は、同軸ケーブル用シールド端子に関する。
【背景技術】
【０００２】
アンテナ線などの高周波信号伝送に用いられる同軸ケーブルは、一般に、芯線の外周を絶縁体を介して編組により被覆され、さらにその外周を絶縁シースにより被覆された構成となっている。そして、このような同軸ケーブルを相手側の機器や同軸ケーブル等に接続するコネクタとして、同軸ケーブルの編組を相手側コネクタにアース接続して電磁波や静電気などの電気的ノイズを遮断するようにした同軸ケーブル用シールド端子が知られている（例えば、特許文献１参照。）。
【０００３】
図６に示されるように、特許文献１に開示された同軸ケーブル用シールド端子１００は、導電性板材により形成された外導体端子１１３と、遮蔽体１１４から構成されており、シースＷｄ、編組Ｗｃ、及び絶縁体Ｗｂをそれぞれ所定長さで切除して芯線Ｗａ、絶縁体Ｗｂ、編組Ｗｃを順次露出させた同軸ケーブルＷの端末部に固着される。
【０００４】
外導体端子１１３は、円筒状に形成されたシールド部１１３ａと、シールド部１１３ａの後方に延設されると共にシールド部１１３ａより小径の円筒状に形成されたスリーブ１１３ｂとを有している。シールド部１１３ａは、その内部に同軸ケーブルＷの端末部に露出された芯線Ｗａおよびこの芯線Ｗａに装着された内導体端子１１１を収容して電磁的にシールドする。
【０００５】
スリーブ１１３ｂは、同軸ケーブルＷとの接続の際に、その内部に同軸ケーブルＷの端末部に露出された絶縁体Ｗｂを挿嵌されて同軸ケーブルＷの端末部に露出された編組Ｗｃとその内側の絶縁体Ｗｂとの間に差し込まれる。
【０００６】
遮蔽体１１４は、シールド部１１３ａの後端の開口部１１３ｃを塞ぐように外導体端子１１３に接合され、後端に設けられたシース加締め部１１４ｂは、加締められることにより同軸ケーブルＷのシースＷｄを把持する。これにより、遮蔽体１１４は外導体端子１１３と共に同軸ケーブルＷの端末部に固定される。
【０００７】
遮蔽体１１４が外導体端子１１３と接合された状態においてスリーブ１１３ｂに対応する位置に設けられた編組加締め部１１４ａは、スリーブ１１３ｂの上から加締められ、スリーブ１１３ｂを覆う編組Ｗｃはスリーブ１１３ｂと編組加締め部１１４ａとにより狭持される。これにより、外導体端子１１３および遮蔽体１１４は編組Ｗｃと電気的に接続される。そして、外導体端子１１３が相手側コネクタのアース端子に電気的に接続されることにより、同軸ケーブルＷの編組Ｗｃが相手側コネクタにアース接続されるようになっている。
【特許文献１】特開２００３−２９７４９３号公報（第４〜７頁、第３図）
【発明の開示】
【発明が解決しようとする課題】
【０００８】
しかしながら、上述した同軸ケーブル用シールド端子１００において、スリーブ１１３ｂは、同軸ケーブルＷの絶縁体Ｗｂを挿嵌可能とするように、内径を絶縁体Ｗｂの外径と同一か僅かに大きい径の円筒状に形成されており、スリーブ１１３ｂはその構造上塑性変形し難いものとなっている。
【０００９】
よって、遮蔽体１１４の編組加締め部１１４ａが加締められた際には、スリーブ１１３ｂを覆う編組Ｗｃがスリーブ１１３ｂと編組加締め部１１４ａとにより狭持されるだけで、スリーブ１１３ｂの内部に挿嵌された絶縁体Ｗｂは固定されることがない。即ち、同軸ケーブル用シールド端子１００は遮蔽体１１４のシース加締め部１１４ｂのみで同軸ケーブルＷに固定されており、同軸ケーブル用シールド端子１００が同軸ケーブルＷに対して位置ズレする可能性があり、位置ズレが生じた際にはスリーブ１１３ｂと編組加締め部１１４ａとにより狭持された編組Ｗｃに無理な力が作用し、編組Ｗｃが破断して同軸ケーブル用シールド端子１００と編組Ｗｃとの良好な電気的接続を得られない虞があった。
【００１０】
さらに、編組加締め部１１４ａの加締め後のスプリングバックや時間経過に伴う緩みなどにより、編組加締め部１１４ａの加締めが不十分となった場合には、スリーブ１１３と編組加締め部１１４ａとの間で編組Ｗｃを十分に狭持することができず、同軸ケーブル用シールド端子１００と編組Ｗｃとの良好な電気的接続を得られない虞があった。
【００１１】
また、高周波信号を伝送する同軸ケーブルにおいて、同軸ケーブルの特性インピーダンスと同軸ケーブル用シールド端子の特性インピーダンスとの整合がとられていない場合には信号の反射が発生する。この反射はノイズ発生およびエネルギ損失の原因となる。そして、信号の帰路となる同軸ケーブル用シールド端子１００は、別個の部材である外導体端子１１３と遮蔽体１１４とを接合して構成されており、接合部においてインピーダンスの乱れを生じる場合があり、従って、同軸ケーブルＷの高周波特性を悪化させる虞があった。
【００１２】
本発明は、上記事情に鑑みてなされたものであり、同軸ケーブルの編組に対して安定した電気的接続を果たすことができると共に、同軸ケーブルの高周波特性を良好に保つ同軸ケーブル用シールド端子を提供することを目的とする。
【課題を解決するための手段】
【００１３】
上記目的を達成するため、本発明に係る圧接端子の固定構造は、下記（１）および（２）を特徴としている。
【００１４】
（１）  芯線と、絶縁体を介して該芯線の外周を被覆する編組とを有し最外周を絶縁シースによって被覆された同軸ケーブルの端末部に固定され、該同軸ケーブルの端末部に露出された編組と電気的に接続される同軸ケーブル用シールド端子であって、
前記同軸ケーブルの端末部に露出された芯線の外側を取り囲むシールド部と、
中空筒状に形成され、その内部に前記同軸ケーブルの絶縁体を挿嵌されて該絶縁体と前記露出された編組との間に挿入されるスリーブと、
加締めにより前記スリーブとの間で前記露出された編組を狭持する編組加締め部と、
加締めにより前記同軸ケーブルの前記絶縁シースを把持するシース加締め部と、
を備え、
前記スリーブに、該スリーブの周壁を周方向に分断するスリットが形成されていること。
（２）  上記（１）記載の同軸ケーブル用シールド端子において、
前記シールド部と、前記スリーブと、前記編組加締め部と、が一体に形成されていること。
【００１５】
上記構成の同軸ケーブル用シールド端子によれば、内部に同軸ケーブルの絶縁体を挿嵌されて同軸ケーブルの絶縁体と編組との間に挿入される筒状のスリーブに、該スリーブの周壁を周方向に分断するスリットを形成することにより、スリーブは、スリットの幅を拡大もしくは縮小するように弾性変形し、内部空間を拡張もしくは収縮可能に構成される。
【００１６】
そして、スリーブは、編組加締め部の加締めに伴ってスリットの幅を縮小するように弾性変形し、内部空間を収縮させて内部に挿嵌された同軸ケーブルの絶縁体を把持する。これにより、編組加締め部およびスリーブと、シース加締め部とにより同軸ケーブル用シールド端子を同軸ケーブルに強固に固定することができ、同軸ケーブル用シールド端子の同軸ケーブルに対する位置ズレを確実に防止することができる。よって、スリーブと編組加締め部との間で狭持された同軸ケーブルの編組に無理な力が作用することがなく、同軸ケーブル用シールド端子と同軸ケーブルの編組との安定した電気的接続を果たすことができる。
【００１７】
さらに、加締め後のスプリングバックや時間経過に伴う緩みなどにより編組加締め部の加締めが不十分となった場合にも、スリーブの復元力により、スリーブと編組加締め部との間で同軸ケーブルの編組を狭持した状態を確実に保つことができ、同軸ケーブル用シールド端子と同軸ケーブルの編組との安定した電気的接続を果たすことができる。
【００１８】
また、同軸ケーブル用シールド端子の前記シールド部と、前記スリーブと、前記編組加締め部とを一体に形成することにより、同軸ケーブル用シールド端子の帰路電流の経路に接合部を無くすことができる。これにより、同軸ケーブル用シールド端子の特性インピーダンスを正確に管理して同軸ケーブルの特性インピーダンスとの整合を容易とし、同軸ケーブルの高周波特性を良好に保つことができる。
【発明の効果】
【００１９】
本発明の同軸ケーブル用シールド端子によれば、同軸ケーブルの編組に対して安定した電気的接続を果たすことができると共に、同軸ケーブルの高周波特性を良好に保つことができる。
【００２０】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００２１】
以下、本発明に係る好適な実施形態を図面に基づいて詳細に説明する。
【００２２】
図１は本発明の一実施形態である同軸ケーブル用シールド端子および同軸ケーブルの斜視図、図２は図１に示される同軸ケーブル用シールド端子の単体斜視図、図３は図２に示される同軸ケーブル用シールド端子の展開図、図４は図１に示される同軸ケーブル用シールド端子が同軸ケーブルの端末部に固定された状態での平面図、図５は図４におけるV-V矢視端面図である。
【００２３】
図１から図３に示されるように、本実施形態の同軸ケーブル用シールド端子１０は、導電性板材のプレス成形による一体成形品で、単芯の同軸ケーブルＷの編組Ｗｃに電気的に接続される。同軸ケーブルＷは、芯線Ｗａと、芯線Ｗａの外周を覆う絶縁体Ｗｂと、絶縁体Ｗｂの外周を覆う編組Ｗｃと、編組Ｗｃの外周を覆う絶縁性のシースＷｄから構成されている。
【００２４】
同軸ケーブルＷの端末部は、シースＷｄ、編組Ｗｃ、および絶縁体Ｗｂがそれぞれ所定長さで剥ぎ取られており、突端から芯線Ｗａ、絶縁体Ｗｂ、および編組Ｗｃがそれぞれ所定長さで順次露出した状態とされている。そして、露出した芯線Ｗａには嵌合接続用のインナー端子１９が圧着接続されている。
【００２５】
同軸ケーブル用シールド端子１０は、同軸ケーブルＷの芯線Ｗａに圧着されたインナー端子１９を中心軸上に配置して収容する略円筒状のシールド部１１と、シールド部１１から後方（即ち、同軸ケーブルＷに装着された状態において同軸ケーブルＷの突端とは反対側、つまりは基端部側）に設けられた圧着部１２とを有している。
【００２６】
シールド部１１は、図３に示されるように、略矩形状のシールド部相当板材１１´を略円筒状に折り曲げ加工して形成されている。
【００２７】
圧着部１２は、その内部に同軸ケーブルＷの前記端末部に露出された絶縁体Ｗｂを挿嵌されて絶縁体Ｗｂと編組Ｗｃとの間に挿入される中空の略円筒状のスリーブ１３と、加締めによりスリーブ１３との間で編組Ｗｃを狭持する編組加締め部１４と、加締めにより同軸ケーブルＷのシースＷｄを把持するシース加締め部１５とを有している。
【００２８】
スリーブ１３は、図３に示されるように、略矩形状のスリーブ相当板材１３´を、同軸ケーブルＷの絶縁体Ｗｂの外形に対応した略円筒状に折り曲げ加工して形成されている。尚、スリーブ相当板材１３´は繋ぎ部相当板材１７´を介してシールド部相当板材１１´と一体成形されており、略円筒状に形成されたスリーブ１３は、その中心軸をシールド部１１の前記中心軸と一致させるように、シールド部１１の上部後端縁から延出された繋ぎ部１７により支持されている。
【００２９】
スリーブ１３は、その内径を同軸ケーブルＷの絶縁体Ｗｂの外径と同一か僅かに大きい径とされており、また、スリーブ１３の継ぎ合い箇所に隙間Ｓ（図５参照。）をおくことによりスリーブ１３の周壁をその周方向に分断するスリット１６が形成されている。
【００３０】
編組加締め部１４は、略矩形状の編組加締め部相当板材１４´の中央部をスリーブ１３の外周面に適宜の隙間をもって沿うように略円弧状に折り曲げ加工されると共に、両側端部（以後、編組加締め片と呼ぶ。）１４ａ，１４ｂを起立状態に加工されて形成されており、シールド部１１の下部後端縁から延出された繋ぎ部１８により支持されている。
【００３１】
シース加締め部１５は、略矩形状のシース加締め部相当板材１５´の中央部を同軸ケーブルＷのシースＷｄの外周面に沿うように円弧状に折り曲げ加工されると共に、両側端部（以後、シース加締め片と呼ぶ。）１５ａ，１５ｂを起立状態に加工されて形成されており、編組加締め部１４の後方に該編組加締め部１４に連続して配置されている。
【００３２】
尚、図３に示されるように、シールド部相当板材１１´と、繋ぎ部相当板材１８´と、編組加締め部相当板材１４´と、シース加締め部相当板材１５´とは一体成形されており、即ち、同軸ケーブル用シールド端子１０は、シールド部１１、スリーブ１３、編組加締め部１４、およびシース加締め部１５の各構成部材間に一切の接合部を持つことなく、一体成形されている。
【００３３】
図４および図５に示されるように、同軸ケーブル用シールド端子１０は、スリーブ１３の後端部開口から同軸ケーブルＷの前記端末部を挿入され、該端末部に固定される。このとき、同軸ケーブルＷの前記端末部において露出された芯線Ｗａおよび該芯線Ｗａに圧着されたインナー端子１９は、シールド部１１の中心軸上に配置され、シールド部１１により外側を取り囲まれて電磁的にシールドされている。
【００３４】
また、露出された絶縁体Ｗｂがスリーブ１３の内部に挿嵌され、スリーブ１３は絶縁体Ｗｂと露出された編組Ｗｃとの間に差し込まれている。さらに、露出された編組Ｗｃはスリーブ１３と編組加締め部１４との隙間に配置されている。
【００３５】
この状態から、編組加締め部１４の一対の編組加締め片１４ａ，１４ｂ、およびシース加締め部１５の一対のシース加締め片１５ａ，１５ｂが加締められる。このとき、スリーブ１３と編組加締め部１４との隙間に配置された編組Ｗｃは、スリーブ１３と編組加締め部１４とによって狭持され、且つ、スリーブ１３はスリット１６の幅（即ち、隙間Ｓ）を縮小するように弾性変形して縮径し、スリーブ１３の内部に挿嵌された絶縁体Ｗｂはスリーブ１３により把持される。また、シース加締め部１５により同軸ケーブルＷのシースＷｄが把持される。
【００３６】
これにより、同軸ケーブル用シールド端子１０は、シース加締め部１５と、スリーブ１３および編組加締め部１４とにより同軸ケーブルＷの端末部に固定され、また、スリーブ１３および編組加締め部１４において同軸ケーブルＷの編組Ｗｃに電気的に接続される。
【００３７】
尚、同軸ケーブルＷに圧着接続された同軸ケーブル用シールド端子１０は、予め同軸ケーブルＷを挿通されて後方に待機していた絶縁樹脂製のシールド端子ハウジング（不図示）の前端部開口からその内部に収容され、該シールド端子ハウジングが相手側ハウジング等に嵌合した際には、同軸ケーブル用シールド端子１０およびインナー端子１９が相手側にそれぞれ電気的に接続される。
【００３８】
上述した構成の同軸ケーブル用シールド端子１０によれば、内部に同軸ケーブルＷの絶縁体Ｗｂを挿嵌されて同軸ケーブルＷの絶縁体Ｗｂと編組Ｗｃとの間に挿入されるスリーブ１３に、該スリーブ１３の周壁をその周方向に分断するスリット１６を形成することにより、スリーブ１３は、スリット１６の幅を拡大もしくは縮小するように弾性変形して、拡径もしくは縮径可能とされる。
【００３９】
そして、スリーブ１３は、編組加締め部１４の加締めに伴って縮径し、内部に挿嵌された同軸ケーブルＷの絶縁体Ｗｂを把持する。これにより、編組加締め部１４およびスリーブ１３と、シース加締め部１５とにより同軸ケーブル用シールド端子１０を同軸ケーブルＷに強固に固定することができ、同軸ケーブル用シールド端子１０の同軸ケーブルＷに対する位置ズレを確実に防止することができる。よって、スリーブ１３と編組加締め部１４との間で狭持された同軸ケーブルＷの編組Ｗｃに無理な力が作用することがなく、同軸ケーブル用シールド端子１０と同軸ケーブルＷの編組Ｗｃとの安定した電気的接続を果たすことができる。
【００４０】
さらに、加締め後のスプリングバックや時間経過に伴う緩みなどにより編組加締め部１４の加締めが不十分となった場合にも、スリーブ１３の復元力により、スリーブ１３と編組加締め部との間で同軸ケーブルＷの編組Ｗｃを狭持した状態を確実に保つことができ、同軸ケーブル用シールド端子１０と同軸ケーブルＷの編組Ｗｃとの安定した電気的接続を果たすことができる。
【００４１】
また、同軸ケーブル用シールド端子１０のシールド部１１と、スリーブ１３と、編組加締め部１４と、シース加締め部１５とを一体に形成しており、同軸ケーブル用シールド端子１０の帰路電流の経路に接合部を無くすことができる。これにより、同軸ケーブル用シールド端子１０の特性インピーダンスを正確に管理して同軸ケーブルＷの特性インピーダンスとの整合を容易とし、同軸ケーブルＷの高周波特性を良好に保つことができる。また、同軸ケーブル用シールド端子１０を単一の部材により構成しているので、同軸ケーブルＷの前記端末部への固定を容易に行え、作業効率を向上させることができる。
【００４２】
尚、本発明の同軸ケーブル用シールド端子は、上述した実施形態に限定されるものではなく、適宜、変形、改良、等が可能である。その他、前述した実施形態における各構成要素の形状、寸法、数値、形態、数、配置箇所、等は本発明を達成できるものであれば任意であり、限定されない。
【００４３】
例えば、上述した実施形態においては、スリーブの形状は中空の略円筒状に形成されているがこれに限定されるものではなく、同軸ケーブルの絶縁体の外形に対応して形成されていればよい。即ち、同軸ケーブルの絶縁体が多角形状に形成されている場合には、スリーブも多角形状に形成される。
【００４４】
また、スリーブに形成されるスリットは、スリーブの周壁をその周方向に分断するように形成されていればよい。即ち、スリーブの中心軸に平行に形成されてもよく、また、該中心軸に交差する方向に傾斜して形成されてもよい。あるいはクランク状に折れ曲がって形成されてもよい。
【００４５】
また、上述した実施形態においては、単芯の同軸ケーブルＷの端末部に固定される場合について説明したが、２芯、あるいはさらに多芯の同軸ケーブルにも適用可能である。
【図面の簡単な説明】
【００４６】
【図１】本発明の一実施形態である同軸ケーブル用シールド端子および同軸ケーブルの斜視図である。
【図２】図１に示される同軸ケーブル用シールド端子の単体斜視図である。
【図３】図２に示される同軸ケーブル用シールド端子の展開図である。
【図４】図１に示される同軸ケーブル用シールド端子が同軸ケーブルの端末部に固定された際の平面図である。
【図５】図４におけるV-V矢視端面図である。
【図６】従来の同軸ケーブル用シールド端子および同軸ケーブルの斜視図である。
【符号の説明】
【００４７】
１０  同軸ケーブル用シールド端子
１１  シールド部
１２  圧着部
１３  スリーブ
１４  編組加締め部
１５  シース加締め部
１６  スリット
１７  繋ぎ部
１８  繋ぎ部
１９  インナー端子
Ｗ    同軸ケーブル
Ｗａ  芯線
Ｗｂ  絶縁体
Ｗｃ  編組
Ｗｄ  シース
【図１】
2006004820.tif 000003
【図２】
2006004820.tif 000004
【図３】
2006004820.tif 000005
【図４】
2006004820.tif 000006
【図５】
2006004820.tif 000007
【図６】
2006004820.tif 000008